(57)【要約】【課題】鍵装置での電力消費を抑制することができる鍵装置、プログラム及び電気錠システムを提供する。【解決手段】鍵装置１は、電気錠装置２と通信可能な通信部１２を有する鍵本体１１を備えている。鍵本体１１は、通信部１２を制御する通信制御部１３と、判定部１４と、を更に有している。通信制御部１３は、少なくとも通信部１２から電気錠装置２に信号を送信させることによって、電気錠装置２での出入口の解錠を可能にする。判定部１４は、鍵本体１１が電気錠装置２の付近に設定された判定エリアに入ったか否かを判定する。通信制御部１３は、鍵本体１１が判定エリアに入ったと判定部１４で判定されたときに通信部１２を起動するように構成されている。【選択図】図１
2017214790.tif 000002
【特許請求の範囲】
【請求項１】
建物の出入口の施錠を行う電気錠装置と通信可能な通信部を有する鍵本体を備え、
前記鍵本体は、
前記通信部を制御し、少なくとも前記通信部から前記電気錠装置に信号を送信させることによって前記電気錠装置での前記出入口の解錠を可能にする通信制御部と、
前記鍵本体が前記電気錠装置の付近に設定された判定エリアに入ったか否かを判定する判定部と、を更に有し、
前記通信制御部は、
前記鍵本体が前記判定エリアに入ったと前記判定部で判定されたときに前記通信部を起動するように構成されている
ことを特徴とする鍵装置。
【請求項２】
前記鍵本体は、加速度センサ及び角速度センサの少なくとも一方を含むセンサ部を更に有し、
前記判定部は、前記センサ部の出力に基づいて、前記鍵本体に加わった振動のパターンが特定パターンに該当する場合に、前記鍵本体が前記判定エリアに入ったと判定するように構成されている
ことを特徴とする請求項１に記載の鍵装置。
【請求項３】
前記通信制御部は、前記通信部が起動すると、前記通信部から前記電気錠装置に信号を送信させるように構成されている
ことを特徴とする請求項１又は２に記載の鍵装置。
【請求項４】
前記通信制御部は、前記通信部から前記電気錠装置に信号を送信後、一定時間内に前記電気錠装置からの応答信号を前記通信部が受信しなかった場合に、前記通信部の動作を停止するように構成されている
ことを特徴とする請求項３に記載の鍵装置。
【請求項５】
コンピュータを、
請求項１〜４のいずれか１項に記載の鍵装置における前記通信制御部及び前記判定部、
として機能させるためのプログラム。
【請求項６】
請求項１〜４のいずれか１項に記載の鍵装置と、
前記電気錠装置とを備える
ことを特徴とする電気錠システム。
【発明の詳細な説明】
【技術分野】
【０００１】
本発明は、一般に、鍵装置、プログラム及び電気錠システムに関し、より詳細には、電気錠装置に信号を送信することによって電気錠装置の解錠を可能にする鍵装置、プログラム及び電気錠システムに関する。
【背景技術】
【０００２】
従来、建物の扉に設けられた錠を電動で施錠又は解錠する電気錠システムが提供されている（例えば特許文献１参照）。特許文献１に記載の電気錠システムは、電気錠装置と、鍵装置（携帯機）とを備える。電気錠装置は、検知部と、第１通信部と、錠前を駆動する駆動部と、制御部とを有する。鍵装置は、メモリと、第２通信部とを有する。鍵装置のメモリには、錠前を施錠又は解錠するために必要な認証情報が予め登録されている。電気錠装置の制御部のメモリには、鍵装置に割り当てられた認証情報が予め登録されている。
【０００３】
制御部は、第１通信部と第２通信部とが無線通信を行うことにより鍵装置から取得した認証情報とメモリに予め登録されている認証情報とを照合し、両者が一致する場合に解錠待ちの状態となる。そして、制御部は、解錠待ちの状態で検知部から検知信号が入力されると、駆動部を制御して錠前を解錠させる。
【先行技術文献】
【特許文献】
【０００４】
【特許文献１】特開２０１６−３０８９４号公報
【発明の概要】
【発明が解決しようとする課題】
【０００５】
しかし、特許文献１に記載の電気錠システムにおいては、鍵装置は、電気錠装置の第１通信部との無線通信を行うために、常時、少なくとも第２通信部を受信待ちの状態で動作させておく必要がある。そのため、鍵装置では常に電力消費されることになり、例えば、鍵装置が電池を内蔵したアクティブ型のＩＣタグであるような場合に、鍵装置の電池の消耗が早くなることがある。
【０００６】
本発明は上記事由に鑑みてなされており、鍵装置での電力消費を抑制することができる鍵装置、プログラム及び電気錠システムを提供することを目的とする。
【課題を解決するための手段】
【０００７】
本発明の一態様に係る鍵装置は、建物の出入口の施錠を行う電気錠装置と通信可能な通信部を有する鍵本体を備えている。前記鍵本体は、通信制御部と、判定部と、を更に有する。前記通信制御部は、前記通信部を制御し、少なくとも前記通信部から前記電気錠装置に信号を送信させることによって前記電気錠装置での前記出入口の解錠を可能にする。前記判定部は、前記鍵本体が前記電気錠装置の付近に設定された判定エリアに入ったか否かを判定する。前記通信制御部は、前記鍵本体が前記判定エリアに入ったと前記判定部で判定されたときに前記通信部を起動するように構成されている。
【０００８】
本発明の一態様に係るプログラムは、コンピュータを、前記鍵装置における前記通信制御部及び前記判定部、として機能させるためのプログラムである。
【０００９】
本発明の一態様に係る電気錠システムは、前記鍵装置と、前記電気錠装置とを備える。
【発明の効果】
【００１０】
本発明は、鍵装置での電力消費を抑制することができる、という利点がある。
【図面の簡単な説明】
【００１１】
【図１】図１は、本発明の実施形態１に係る電気錠システムの構成を示すブロック図である。
【図２】図２は、同上の電気錠システムの使用例を示す概略図である。
【図３】図３は、同上の電気錠システムで用いられる特定パターンの一例を示す振幅変動波形図である。
【図４】図４は、同上の電気錠システムの鍵装置の動作例を示すフローチャートである。
【発明を実施するための形態】
【００１２】
（実施形態１）
（１）電気錠システムの概要
本実施形態に係る電気錠システム１０は、図２に示すように、鍵装置１と、電気錠装置２と、を備えている。
【００１３】
電気錠装置２は、建物３の出入口４の施錠を行う装置である。ここでいう建物３の「出入口」とは、建物３の内（宅内３１）と外（宅外３２）とを隔てる扉又は窓であって、例えば、玄関扉、勝手口又は掃出窓等である。電気錠装置２は、出入口４に設置されている。ここで、電気錠装置２は、鍵装置１と通信可能に構成されており、鍵装置１との通信によって、出入口４を施錠する施錠状態と出入口４を解錠する解錠状態との切り替えを電気的に行う。
【００１４】
鍵装置１は、電気錠装置２との通信機能を有している。本実施形態では、鍵装置１と電気錠装置２との間の通信方式は、電波を媒体とする無線通信である。鍵装置１は、ユーザ５によって携帯可能となるように、電池駆動式で、かつ適度なサイズに構成されている。本実施形態では、鍵装置１は、ユーザ５が所持する鞄等に取付可能なタグ状に構成されている。
【００１５】
本実施形態では、建物３が戸建住宅である場合を例として説明する。ユーザ５は、建物３（戸建住宅）の住人のうち、鍵装置１を所持（携帯）する人である。
【００１６】
電気錠システム１０の基本的な機能としては、鍵装置１に予め記憶されている鍵ＩＤ（Identification）を、鍵装置１が電気錠装置２に送信することによって、電気錠装置２での出入口４の解錠を可能にする。すなわち、鍵装置１と電気錠装置２とが通信し、鍵装置１の持つ鍵ＩＤの認証が成功した場合に、電気錠装置２は出入口４の解錠が可能な状態となる。ここで、電気錠装置２は、認証の成功後、操作部２５（図１参照）の所定の操作（解錠操作）を待って出入口４の解錠を行ってもよいし、解錠操作の有無にかかわらず、認証の成功後、直ちに出入口４の解錠を行ってもよい。結果的に、電気錠装置２は、鍵装置１との通信によって、施錠状態から解錠状態へ切り替える解錠動作を行う。
【００１７】
上述したような電気錠装置２による解錠動作は、ユーザ５が宅外３２に居るとき、つまりユーザ５の帰宅時と、ユーザ５が宅内３１に居るとき、つまりユーザ５の外出時との少なくとも一方において行われる。本実施形態では、ユーザ５の帰宅時と外出時との両方において、電気錠装置２による解錠動作が行われる。すなわち、ユーザ５の帰宅時には、宅外３２に居るユーザ５が、例えば鍵装置１と電気錠装置２との間の通信用の電波が届く程度に出入口４に近づいた状態で、ユーザ５の所持する鍵装置１が電気錠装置２と通信することで、出入口４が解錠可能となる。同様に、ユーザ５の外出時には、宅内３１に居るユーザ５が、例えば鍵装置１と電気錠装置２との間の通信用の電波が届く程度に出入口４に近づいた状態で、ユーザ５の所持する鍵装置１が電気錠装置２と通信することで、出入口４が解錠可能となる。
【００１８】
また、本実施形態では詳しい説明は省略するが、電気錠装置２は、出入口４が解錠されている状態において、鍵装置１との通信によって鍵ＩＤの認証が成功し、操作部２５にて所定の操作（施錠操作）がなされると、出入口４の施錠を行う。つまり、電気錠装置２は、解錠操作だけでなく、鍵装置１との通信によって、解錠状態から施錠状態へ切り替える施錠動作も行うことができる。
【００１９】
（２）鍵装置の構成
次に、本実施形態に係る鍵装置１の構成について、図１を参照して説明する。
【００２０】
鍵装置１は、通信部１２を有する鍵本体１１を備えている。鍵本体１１は、通信制御部１３と、判定部１４と、センサ部１５と、記憶部１６と、を更に有している。鍵本体１１は、携帯可能なケース内に収納されている。鍵装置１は、鍵本体１１の動作用電源となる電池１７を更に備えている。電池１７は、鍵本体１１と共にケース内に収納される一次電池である。電池１７は、鍵装置１の構成要素に含まれていてもよいし、鍵装置１の構成要素に含まれていなくてもよい。
【００２１】
センサ部１５は、加速度センサ及び角速度センサ（ジャイロセンサ）の少なくとも一方を含んでおり、鍵本体１１（センサ部１５）に加わる振動に応じた電気信号を出力する。本実施形態では、一例として、センサ部１５は加速度センサのみからなる。センサ部１５は、電気信号を判定部１４に出力する。
【００２２】
記憶部１６には、鍵装置１に固有の鍵ＩＤが記憶されている。記憶部１６は、例えば、不揮発性メモリからなる。
【００２３】
通信部１２は、電気錠装置２と通信可能に構成されている。通信部１２と電気錠装置２（錠側通信部２１）との間の通信方式は、例えば、Bluetooth（登録商標）等の電波を媒体とした無線通信である。本実施形態では、鍵装置１は、電気錠装置２に信号を送信するだけでなく、例えば、応答信号（ＡＣＫ：ACKnowledgement）等の信号を電気錠装置２（錠側通信部２１）から受信する。そのため、通信部１２は、信号の送信機能及び受信機能を有しており、錠側通信部２１との間で双方向の通信を行う。
【００２４】
ここにおいて、通信制御部１３及び判定部１４は、本実施形態ではＣＰＵ（Central Processing Unit）及びメモリを主構成とするマイクロコンピュータにて構成されている。言い換えれば、通信制御部１３及び判定部１４は、ＣＰＵ及びメモリを有するコンピュータにて実現されており、ＣＰＵがメモリに格納されているプログラムを実行することにより、コンピュータが通信制御部１３及び判定部１４として機能する。プログラムは、ここではマイクロコンピュータのメモリに予め記録されているが、インターネット等の電気通信回線を通じて、又はメモリカード等の記録媒体に記録されて提供されてもよい。
【００２５】
通信制御部１３は、通信部１２を制御する。通信制御部１３は、少なくとも通信部１２から電気錠装置２（錠側通信部２１）に信号を送信させることによって、電気錠装置２での出入口４の解錠を可能にする。具体的には、通信制御部１３は、通信部１２から錠側通信部２１に対して、通信部１２と錠側通信部２１との通信を開始させるための信号（接続要求信号）を送信させる。通信部１２と錠側通信部２１との通信が成立すると、通信制御部１３は、記憶部１６から鍵ＩＤを読み出し、通信部１２から錠側通信部２１に対して、鍵ＩＤを含む信号（ＩＤ信号）を送信させる。
【００２６】
判定部１４は、鍵本体１１が電気錠装置２の付近に設定された判定エリア６（図２参照）に入ったか否かを判定する。判定エリア６は、例えば、電気錠装置２を基準にして、電気錠装置２と鍵本体１１との通信が可能になる範囲、つまり、本実施形態では、鍵装置１と電気錠装置２との間の通信用の電波が届く範囲に設定される。一例として、判定エリア６は、宅内３１及び宅外３２の各々において出入口４から数ｍ（メートル）程度の領域である。すなわち、判定部１４は、鍵本体１１が、電気錠装置２付近の判定エリア６外から判定エリア６内に移動したか否か、言い換えれば、鍵本体１１が電気錠装置２に近づいたか否かを判定する。以下、鍵本体１１が判定エリア６に入ったとの判定結果を「エリア内」、鍵本体１１が判定エリア６に入っていないとの判定結果を「エリア外」ともいう。
【００２７】
ここで、判定部１４は、鍵本体１１が判定エリア６に入ったか否かを、直接的に検知するのではなく、センサ部１５の出力に基づいて、間接的に判定する。要するに、判定部１４が行う「判定」は、推測に基づく判定（推定）を含んでいる。本実施形態では、判定部１４は、センサ部１５の出力に基づいて、鍵本体１１に加わった振動のパターンが特定パターンに該当する場合に、鍵本体１１が判定エリア６に入った（つまり「エリア内」）と判定するように構成されている。ここでいう「特定パターン」は、鍵装置１を所持するユーザ５が、判定エリア６に入ったときに生じる特定の振動パターンである。すなわち、ユーザ５が帰宅時又は外出時において判定エリア６に入る際には、例えばユーザ５の歩行、車を降りる動作、又は靴を履く動作等により、ユーザ５が所持している鍵装置１には、特定パターンの振動が加わる。そこで、判定部１４は、鍵本体１１（センサ部１５）に加わった振動のパターンが特定パターンに該当すれば、鍵装置１を所持しているユーザ５が判定エリア６に入るという行動をとったと判断し、「エリア内」と判定する。特定パターンは、例えば、通信制御部１３及び判定部１４を構成するマイクロコンピュータのメモリ、又は記憶部１６に記憶されている。特定パターンの具体例については、「（４）特定パターンの具体例」の欄で説明する。
【００２８】
つまり、判定部１４は、鍵本体１１が判定エリア６に入ったか否かを厳密に判定するのではなく、鍵本体１１が判定エリア６に入ったと推定されるような所定の条件をセンサ部１５の出力が満たすことをもって、「エリア内」と判定する。そのため、判定部１４では、鍵本体１１が判定エリア６に入っていなくても、「エリア内」と判定されることもあれば、鍵本体１１が判定エリア６に入っていても、「エリア外」と判定されることもある。判定部１４での判定処理の詳細については、「（５）動作」の欄で説明する。図２では、判定エリア６となる範囲を概念的に表しているが、判定エリア６が厳密に規定されている必要はない。
【００２９】
また、判定部１４の判定結果は、後述するように通信部１２を起動するためのトリガとして用いられるので、判定部１４での判定は、少なくとも通信部１２を使用せずに、つまり通信部１２が待機状態のままで実現可能な方法にて行われる。要するに、判定部１４は、通信部１２を使用することなく、鍵本体１１が判定エリア６に入ったか否かを判定する必要があるため、本実施形態では、センサ部１５の出力に基づいて判定を行う。
【００３０】
ところで、通信制御部１３は、鍵本体１１が判定エリア６に入った（つまり「エリア内」）と判定部１４で判定されたときに通信部１２を起動するように構成されている。すなわち、通信制御部１３は、判定部１４での判定結果に応じて通信部１２を制御する。具体的には、判定部１４が「エリア外」と判定している間は、通信制御部１３は、通信部１２を待機状態として、通信部１２に信号（接続要求信号）の送信を行わせない。判定部１４が「エリア内」と判定すると、通信制御部１３は、通信部１２を起動して、通信部１２から電気錠装置２に信号（接続要求信号）を送信させる。ここで、通信制御部１３が、通信部１２を起動し通信部１２に信号を送信させる時間は、一定時間（例えば、５秒又は１０秒）以下に制限されることが好ましい。また、通信部１２が待機状態にある間は、通信制御部１３は、通信部１２からの信号の送信を停止させればよいので、電池１７から通信部１２への電力供給は継続してもよいが、電池１７から通信部１２への電力供給も停止することが好ましい。
【００３１】
（３）電気錠装置の構成
次に、電気錠装置２の構成について、図１を参照して説明する。
【００３２】
電気錠装置２は、錠側通信部２１と、信号処理部２２と、認証部２３と、錠駆動部２４と、操作部２５と、を有している。電気錠装置２は、例えば出入口４（図２参照）となる扉（例えば玄関扉）に内蔵されている。電気錠装置２は、系統電源（商用電源）等の外部電源から電力供給を受けて動作してもよいし、電池駆動式であってもよい。
【００３３】
認証部２３には、少なくとも１つの登録ＩＤが登録（記憶）されている。登録ＩＤは、鍵装置１の鍵ＩＤに対応している。例えば、建物３の住人がそれぞれ個別の鍵装置１を所持するような場合、つまり電気錠システム１０が複数台の鍵装置１を含む場合には、認証部２３には、これら複数台の鍵装置１の鍵ＩＤに対応する複数の登録ＩＤが登録されている。錠駆動部２４は、出入口４の錠前を駆動することで、施錠状態と解錠状態との切り替えを行う。
【００３４】
錠側通信部２１は、鍵装置１（通信部１２）と通信可能に構成されている。上述したように、錠側通信部２１と鍵装置１（通信部１２）とは双方向に通信を行うので、錠側通信部２１は、信号の送信機能及び受信機能を有している。
【００３５】
信号処理部２２は、錠側通信部２１、認証部２３及び錠駆動部２４の制御を行う。信号処理部２２は、少なくとも鍵装置１（通信部１２）からの鍵ＩＤを含む信号（ＩＤ信号）を錠側通信部２１に受信させる。信号処理部２２は、錠側通信部２１にてＩＤ信号を受信すると、ＩＤ信号に含まれる鍵ＩＤと認証部２３に登録されている登録ＩＤとの照合を行うことで、鍵ＩＤの認証処理を実行する。鍵ＩＤの認証に成功すると、本実施形態では、信号処理部２２は、操作部２５に対する所定の操作（解錠操作）をトリガにし、錠駆動部２４を制御して出入口４の解錠を行う。信号処理部２２は、例えばマイクロコンピュータにて構成されている。
【００３６】
操作部２５は、ユーザ５による操作を受け付ける機能を持つ。操作部２５は、例えば、出入口４の宅内３１側及び宅外３２側のそれぞれに設けられた押釦スイッチからなる。操作部２５は、例えば、出入口４の扉に備わっているドアハンドル（取っ手）であってもよいし、ユーザ５がドアハンドルに触れる操作を検知するタッチセンサ等であってもよい。
【００３７】
（４）特定パターンの具体例
以下に、判定部１４における鍵本体１１が判定エリア６に入ったか否かの判定に用いられる特定パターン、つまり鍵装置１を所持するユーザ５が判定エリア６に入ったときに鍵本体１１に加わる特定の振動パターンの具体例を示す。
【００３８】
（４．１）帰宅時の特定パターン
まず、ユーザ５が、外出先から帰宅する際、つまり宅外３２から宅内３１に移動する際において、判定エリア６に入ったときに鍵本体１１に加わる特定の振動パターン（特定パターン）を、幾つか例示する。
【００３９】
この種の振動パターンの一例として、ユーザ５の歩行によって生じる振動パターン（「第１の特定パターン」という）がある。すなわち、例えば、ユーザ５が徒歩で帰宅する場合、ユーザ５は、最寄りの駅又はバス停等から建物３まで歩行し、その後、出入口４の前（判定エリア６内）で立ち止まる、という特定の行動をとることがある。ユーザ５が最寄りの駅又はバス停等から建物３まで歩くのに掛かる時間が所定時間Ｔ１であれば、図３に例示するように、ユーザ５の歩行による振動が所定時間Ｔ１継続した後、振動が停止する、という特定の振動パターン（第１の特定パターン）の振動が生じる。図３は、横軸を時間軸、縦軸を振動の大きさ（振幅）とする振幅変動波形図である。この場合、ユーザ５が帰宅するために判定エリア６に入ったときに、センサ部１５では第１の特定パターンの振動が検知される。
【００４０】
他の例として、ユーザ５が車から降りるときのユーザ５の動作によって生じる振動パターン（「第２の特定パターン」という）がある。すなわち、ユーザ５が外出先から車で帰宅する場合、ユーザ５は、帰宅時には判定エリア６に入る直前に、車から降りる、という特定の行動をとることになる。この場合、車で帰宅するユーザ５においては、ユーザ５が帰宅するために判定エリア６に入ったときに、センサ部１５では第２の特定パターンの振動が検知される。
【００４１】
（４．２）外出時の特定パターン
まず、ユーザ５が、外出する際、つまり宅内３１から宅外３２に移動する際において、判定エリア６に入ったときに鍵本体１１に加わる特定の振動パターン（特定パターン）を、幾つか例示する。
【００４２】
この種の振動パターンの一例として、振動が所定時間以上にわたって停止した後、ユーザ５が鍵装置１を手に取ることによって生じる振動パターン（「第３の特定パターン」という）がある。すなわち、在宅中は例えば玄関等の定位置に鍵装置１を置いておく習慣がある場合、ユーザ５は、外出時には判定エリア６に入る直前に、定位置に置いてある鍵装置１を手に取る、という特定の行動をとることになる。この場合、ユーザ５が外出するために判定エリア６に入ったときに、センサ部１５では第３の特定パターンの振動が検知される。
【００４３】
他の例として、ユーザ５が玄関の上り框を下りるときのユーザ５の動作によって生じる振動パターン（「第４の特定パターン」という）がある。すなわち、建物３の玄関に上り框がある場合、ユーザ５は、外出時には判定エリア６に入る直前に、玄関の上り框を下りる、という特定の行動をとることになる。この場合、ユーザ５が外出するために判定エリア６に入ったときに、センサ部１５では第４の特定パターンの振動が検知される。
【００４４】
さらに他の例として、ユーザ５が靴を履くときのユーザ５の動作によって生じる振動パターン（「第５の特定パターン」という）がある。すなわち、ユーザ５は、外出時には判定エリア６に入る直前に、玄関で靴を履く、という特定の行動をとることになる。この場合、ユーザ５が外出するために判定エリア６に入ったときに、センサ部１５では第５の特定パターンの振動が検知される。
【００４５】
（５）動作
次に、本実施形態に係る鍵装置１の動作について、図４を参照して説明する。図４は、鍵装置１の動作例を示すフローチャートである。
【００４６】
鍵装置１は、電源が投入されると、判定部１４が「エリア外」と判定するため、通信部１２を待機状態として（Ｓ１）、通信部１２からの信号（接続要求信号）の送信は行わない。この状態で、鍵装置１は、判定部１４にて、センサ部１５の出力を監視し、鍵本体１１が判定エリア６に入ったか否か（つまり、「エリア内」か「エリア外」か）の判定処理を行う（Ｓ２及びＳ３）。
【００４７】
判定処理において、判定部１４は、まずはセンサ部１５の出力の有無を判断する（Ｓ２）。センサ部１５の出力が有ると判断されれば（Ｓ２：Ｙｅｓ）、判定部１４は、鍵本体１１に加わった振動のパターンが特定パターンに該当するか否かによって、「エリア内」か「エリア外」かを判定する（Ｓ３）。具体的には、判定部１４では、例えば、鍵本体１１に加わった振動の大きさ（振幅）の変動を表す振幅変動波形をセンサ部１５の出力から抽出し、この振幅変動波形を振動パターンとして、特定パターンである振幅変動波形と比較する。そして、両振幅変動波形の一致度が、所定の閾値以上であれば、判定部１４は、振動パターンが特定パターンに該当すると判断し、「エリア内」との判定を行う（Ｓ３：Ｙｅｓ）。一方、両振幅変動波形の一致度が閾値未満であれば、判定部１４は、振動パターンが特定パターンに該当しないと判断し、「エリア外」との判定を行う（Ｓ３：Ｎｏ）。判定処理において、センサ部１５の出力が無いと判断された場合（Ｓ２：Ｎｏ）、及び「エリア外」と判定された場合（Ｓ３：Ｎｏ）は、鍵装置１の動作は処理Ｓ１に戻る。
【００４８】
判定処理において、「エリア内」と判定された場合（Ｓ３：Ｙｅｓ）、通信制御部１３は、通信部１２を起動して、通信部１２から電気錠装置２に信号（接続要求信号）の送信を行う（Ｓ４）。つまり、鍵装置１は、通信部１２の起動時に自発的に信号を送信する。そして、通信制御部１３は、鍵装置１（通信部１２）と電気錠装置２（錠側通信部２１）との間の通信が成立したか否かを判断する（Ｓ５）。接続要求信号への応答として電気錠装置２からの応答信号（ＡＣＫ）を通信部１２が受信した場合には、通信制御部１３は、通信が成立したと判断し（Ｓ５：Ｙｅｓ）、通信部１２から錠側通信部２１に鍵ＩＤを含む信号（ＩＤ信号）の送信を行う（Ｓ６）。ＩＤ信号への応答として電気錠装置２からの応答信号（ＡＣＫ）を通信部１２が受信すると、通信制御部１３は、通信部１２の動作を停止し、処理Ｓ１に戻って、通信部１２を待機状態とする。
【００４９】
また、接続要求信号への応答として電気錠装置２からの応答信号（ＡＣＫ）を通信部１２が受信しなかった場合（Ｓ５：Ｎｏ）、通信制御部１３は、接続要求信号を送信後、一定時間が経過したか否かを判断する（Ｓ７）。一定時間が経過していなければ（Ｓ７：Ｎｏ）、通信制御部１３は、処理Ｓ４に戻って、再度、通信部１２から電気錠装置２に接続要求信号の送信を行う。一方、一定時間が経過すると（Ｓ７：Ｙｅｓ）、通信制御部１３は、通信部１２の動作を停止し、処理Ｓ１に戻って、通信部１２を待機状態とする。これにより、通信部１２の起動後、一定時間が経過するまでは接続要求信号の再送が行われるが、一定時間が経過すると、鍵装置１は、ＩＤ信号の送信を行わずに通信部１２を待機状態とする。これにより、例えば、鍵本体１１が判定エリア６に入っていないにもかかわらず、判定部１４にて「エリア内」と判定された場合において、接続要求信号の送信が無制限に繰り返されることが防止される。
【００５０】
ところで、判定部１４での判定処理に用いられる特定パターン及び閾値等は、固定的ではなく、随時更新されることが好ましい。特定パターン及び閾値等の更新は、人（ユーザ５）が手動で行ってもよいし、機械学習により自動的に行われてもよい。
【００５１】
（６）効果
以上説明したように、本実施形態に係る鍵装置１は、建物３の出入口４の施錠を行う電気錠装置２と通信可能な通信部１２を有する鍵本体１１を備えている。鍵本体１１は、通信制御部１３と、判定部１４と、を更に有する。通信制御部１３は、通信部１２を制御し、少なくとも通信部１２から電気錠装置２に信号を送信させることによって電気錠装置２での出入口４の解錠を可能にする。判定部１４は、鍵本体１１が電気錠装置２の付近に設定された判定エリア６に入ったか否かを判定する。通信制御部１３は、鍵本体１１が判定エリア６に入ったと判定部１４で判定されたときに通信部１２を起動するように構成されている。
【００５２】
この構成によれば、鍵本体１１が判定エリア６に入ったと判定部１４で判定されたときに通信制御部１３が通信部１２を起動するので、鍵装置１での電力消費を抑制することができる、という利点がある。すなわち、電気錠装置２の付近に設定された判定エリア６内に鍵本体１１が入ったこと、つまり鍵装置１が電気錠装置２に接近したことを、鍵装置１自体が判定するので、電気錠装置２には、鍵装置１の接近を検知するためのセンサ等が不要になる。そして、鍵装置１自体が、判定エリア６に入ったことを判定して通信部１２を起動するので、鍵装置１が判定エリア６に入るまでは、通信部１２の動作を停止させて通信部１２を待機状態とすることができる。そのため、鍵本体１１が判定エリア６外にある間は、電気錠装置２と通信部１２との通信は不要であるから、この間に通信部１２の動作を停止させることで、鍵装置１での電力消費を抑制することができる。
【００５３】
また、本実施形態のように、鍵本体１１は、加速度センサ及び角速度センサの少なくとも一方を含むセンサ部１５を更に有することが好ましい。この場合、判定部１４は、センサ部１５の出力に基づいて、鍵本体１１に加わった振動のパターンが特定パターンに該当する場合に、鍵本体１１が判定エリア６に入ったと判定するように構成されていることが好ましい。この構成によれば、鍵本体１１に加わる振動に基づいて鍵本体１１が判定エリア６に入ったか否かが判定されるので、鍵装置１単体での判定が可能になる。すなわち、鍵装置１を所持するユーザ５が特定の行動をとった際には、鍵本体１１に特定パターンの振動が加わるので、鍵本体１１に加わる振動のパターンから、ユーザ５の行動が推定でき、鍵本体１１が判定エリア６に入ったか否かの判定が可能である。さらに、単に振動の有無を検知して通信部１２を起動するような構成に比べれば、宅内３１又は宅外３２で鍵装置１を所持するユーザ５が動く度に通信部１２が起動されるような事態を回避でき、鍵装置１での電力消費を抑制することができる。ただし、この構成は鍵装置１に必須の構成ではなく、センサ部１５は省略されていてもよい。
【００５４】
また、本実施形態のように、通信制御部１３は、通信部１２が起動すると、通信部１２から電気錠装置２に信号を送信させるように構成されていることが好ましい。この構成によれば、鍵本体１１が判定エリア６に入ったと判定部１４で判定されるまでは、通信部１２は信号の送信を行わないので、信号の送信間隔を短くしながらも、通信部１２での電力消費の増加を抑制できる。
【００５５】
また、本実施形態のように、通信制御部１３は、通信部１２から電気錠装置２に信号を送信後、一定時間内に電気錠装置２からの応答信号を通信部１２が受信しなかった場合に、通信部１２の動作を停止するように構成されていることが好ましい。この構成によれば、仮に、鍵本体１１が判定エリア６に入っていない場合に、判定部１４が誤った判定をして通信部１２が起動することがあっても、一定時間以内に通信部１２と電気錠装置２との通信が成立しなければ通信部１２の動作は停止する。したがって、鍵本体１１が判定エリア６に入っていない状態で、通信部１２が信号を送信し続ける構成に比べて、鍵装置１での電力消費をより抑制できる。ただし、この構成は鍵装置１に必須の構成ではなく、通信制御部１３は、通信部１２から電気錠装置２に信号を送信後、一定時間内に電気錠装置２からの応答信号を通信部１２が受信しなかった場合でも、通信部１２の動作を継続してもよい。
【００５６】
本実施形態に係る電気錠システム１０は、上記鍵装置１と、電気錠装置２とを備えている。この構成によれば、鍵本体１１が判定エリア６に入ったと判定部１４で判定されたときに通信制御部１３が通信部１２を起動するので、鍵装置１での電力消費を抑制することができる、という利点がある。
【００５７】
（７）変形例
建物３は、戸建住宅に限らず、例えば集合住宅の各住戸等の戸建住宅以外の住宅、又は事務所や店舗、介護施設等の非住宅であってもよい。
【００５８】
鍵装置１は、実施形態１のようにタグ状の装置に限らず、例えば、ＩＣカード等であってもよいし、更には、スマートフォン等の汎用の情報端末にて構成されていてもよい。鍵装置１がスマートフォン等の汎用の情報端末からなる場合、情報端末が専用のアプリケーションソフトをインストールし、このアプリケーションソフトを起動することにより、情報端末のＣＰＵを通信制御部１３及び判定部１４として機能させる。言い換えれば、アプリケーションソフトは、コンピュータ（情報端末）を上記鍵装置１における通信制御部１３及び判定部１４として機能させるためのプログラムである。この構成によれば、専用の鍵装置１を用いることなく、鍵装置１での電力消費を抑制することができる、という利点がある。プログラムは、コンピュータ（情報端末）のメモリに予め記録されていてもよいが、インターネット等の電気通信回線を通じて、又はメモリカード等の記録媒体に記録されて提供されてもよい。
【００５９】
また、センサ部１５は、角速度センサのみで構成されてもよいし、又は加速度センサ及び角速度センサで構成されてもよい。さらに、センサ部１５は、増幅回路や比較回路等、各センサの周辺回路を含んでいてもよい。
【００６０】
さらに、センサ部１５は、加速度センサ及び角速度センサの少なくとも一方に加えて、又は加速度センサ及び角速度センサの少なくとも一方に代えて、例えば、ＧＰＳ（Global Positioning System）受信機等、鍵本体１１の位置を検知する位置センサを含んでもよい。この場合、判定部１４は、鍵本体１１に加わった振動のパターンに加えて又は代えて、位置センサが検知した鍵本体１１の位置情報に基づいて、鍵本体１１が判定エリア６に入ったか否かを判定することが好ましい。例えば、判定部１４は、鍵本体１１に加わった振動のパターンが特定パターンに該当し、かつ鍵本体１１の位置情報より鍵本体１１が建物３から所定距離内にあると判断される場合に、鍵本体１１が判定エリア６に入ったと判定する。この場合、鍵本体１１に加わった振動のパターンが特定パターンに該当しても、鍵本体１１が建物３から所定距離内になければ、判定部１４では、鍵本体１１が判定エリア６に入ったと判定しないので、判定部１４での判定精度が向上する。
【００６１】
また、鍵装置１が、例えばスマートフォンからなる場合、スマートフォンに備わっている加速度センサ及び角速度センサを、センサ部１５として用いることが可能である。さらに、判定部１４は、スマートフォンに備わっているＧＰＳ機能を用いることで、上述したように、より精度よく、鍵本体１１が判定エリア６に入ったか否かを判定することができる。
【００６２】
また、鍵装置１と電気錠装置２との間の通信方式は、Bluetooth（登録商標）に限らず、その他の電波を媒体とした無線通信、又は赤外線等の光を媒体とする光通信等であってもよい。
【００６３】
また、電池１７は、一次電池に限らず、例えば二次電池、又は太陽電池等であってもよい。
【００６４】
また、実施形態１では、鍵ＩＤの認証は電気錠装置２で行われているが、この例に限らず、例えば鍵装置１にて、鍵ＩＤの認証を行ってもよい。つまり、電気錠装置２に予め記憶されている錠ＩＤが電気錠装置２から鍵装置１に送信され、鍵装置１にて錠ＩＤと鍵ＩＤとの照合を行って、両者が一致した場合に、認証信号を電気錠装置２に送信してもよい。この場合、電気錠装置２は、鍵装置１から認証信号を受信することで、出入口４の解錠を可能にする。
【００６５】
（実施形態２）
本実施形態に係る電気錠システム１０は、鍵装置１が、通信部１２の起動時に自発的に信号を送信するのではなく、通信部１２の起動時に通信部１２を受信動作させる点で、実施形態１の電気錠システム１０と相違する。以下、実施形態１と同様の構成については、共通の符号を付して適宜説明を省略する。
【００６６】
本実施形態では、電気錠装置２は、鍵装置１（通信部１２）に対して、錠側通信部２１から定期的に信号（接続要求信号）の送信を行う。電気錠装置２は、接続要求信号への応答として鍵装置１からの応答信号（ＡＣＫ）を錠側通信部２１が受信した場合には、通信が成立したと判断し、錠側通信部２１から通信部１２に鍵ＩＤを要求する信号（ＩＤ要求信号）の送信を行う。電気錠装置２は、ＩＤ要求信号への応答として、鍵装置１から鍵ＩＤを含む信号（ＩＤ信号）を受信することで、鍵装置１の鍵ＩＤを取得する。
【００６７】
鍵装置１は、通信部１２の起動時に自発的に信号を送信するのではなく、通信部１２にて電気錠装置２からの接続要求信号の受信待ちを行う。したがって、鍵装置１が、通信部１２の起動時に自発的に信号を送信する構成に比べて、信号を送信するための電力消費を抑制して、通信部１２での電力消費の増加を抑制できる。
【００６８】
その他の構成及び機能は実施形態１と同様である。また、実施形態２で説明した構成は、実施形態１で説明した構成（変形例を含む）と適宜組み合わせて適用可能である。
【符号の説明】
【００６９】
１  鍵装置
２  電気錠装置
３  建物
４  出入口
６  判定エリア
１０  電気錠システム
１１  鍵本体
１２  通信部
１３  通信制御部
１４  判定部
１５  センサ部
【図１】
2017214790.tif 000003
【図２】
2017214790.tif 000004
【図３】
2017214790.tif 000005
【図４】
2017214790.tif 000006